(57)【要約】【課題】稼動データ計測装置無しエレベーターについても、エレベーターの保全指令の出力を可能にするエレベーターの保全システムの提供。【解決手段】上記課題は、稼動データ計測装置付きエレベーター及び稼動データ計測装置無しエレベーターの仕様を保管する仕様データベース２１と、この仕様データベース２１の中から稼動データ計測装置無しエレベーターの仕様と類似するところの稼動データ計測装置付きエレベーターを選択する類似仕様エレベーター選択手段２２と、この類似仕様エレベーター選択手段２２によって選択された稼動データ計測装置付きエレベーターに関する稼動データを稼動データ記憶装置２０から取り出す取出手段２４と、この取出手段２４によって出力された稼動データと判定値データベース２３に保管されている判定値とを比較して保全指令を出力する保全指令出力手段２５とにより、達成できる。【選択図】図２
2005255394.tif 000002
【特許請求の範囲】
【請求項１】
１個以上の稼動データ計測装置付きエレベーターと、１個以上の稼動データ計測装置無しエレベーターとを含み、前記稼動データ計測装置付きエレベーターに設置した稼動データ計測装置によって得られた稼動データに基づき保全指令を出力するようにしたエレベーターの保全システムにおいて、予め設定した判定値を保管する判定値データベースと、前記稼動データ計測装置付きエレベーター及び前記稼動データ計測装置無しエレベーターの仕様を保管する仕様データベースと、この仕様データベースの中から前記稼動データ計測装置無しエレベーターの仕様と類似するところの前記稼動データ計測装置付きエレベーターを選択する類似仕様エレベーター選択手段と、この類似仕様エレベーター選択手段によって選択された前記稼動データ計測装置付きエレベーターに関する稼動データを前記稼動データ記憶装置から取り出す取出手段と、この取出手段によって出力された稼動データと前記判定値データベースに保管されている判定値とを比較して保全指令を出力する保全指令出力手段とを少なくとも具備してなることを特徴とするエレベーターの保全システム。
【請求項２】
前記保全指令には、保全作業指令や部品交換指令が、前記稼動データには、エレベーター運行状態に関するデータや各部品の動作状態に関するデータが、前記判定値には、動作時間や動作回数が、前記仕様には、エレベーター機種、定格速度、積載荷重、停止階床、仕様用途が、それぞれ含まれていることを特徴とする請求項１記載のエレベーターの保全システム。
【請求項３】
前記稼動データ計測装置によって得られた前記稼動データ計測装置付きエレベーターの稼動データに基づく実測値が、前記判定値データベースに保管されている判定値を超えたとき、前記稼動データ計測装置付きエレベーターに対して保全指令を出すと同時に、前記類似仕様エレベーター選択部により選択された稼動データ計測装置無しエレベーターに対しても、保全指令を出すようにしたことを特徴とする請求項１若しくは２記載のエレベーターの保全システム。
【発明の詳細な説明】
【技術分野】
【０００１】
本発明は、エレベーターの運行状態及び各部品の動作状態を計測して得られた稼動データに基づきエレベーターの保全作業指令や部品交換指令を行うエレベーターの保全システムに関するものである。
【背景技術】
【０００２】
従来、エレベーターは、故障などが発生して運行が停止すると、建物を利用する人々に多大な迷惑を与えるだけではなく、故障の種類によっては、人身事故に至る危険性があった。それゆえに、エレベーターを安全に運行させるための保全作業はきわめて重要な業務であるので、その保全作業を定期的に行うようにしている。そして、その保全作業には、各部の動作チェックや調整寸法の確認を行った結果により部品交換が必要となる場合もあり、その判断には保全作業者の経験や知識が必要であった。しかも、近年、新設されるエレベーターの構造やそのエレベーターを制御する制御装置は、複雑で、かつ、高度化されているため、保全作業時間が長くかかるようになってきた。
【０００３】
そこで、エレベーターの制御盤に、エレベーターの運行時間や部品の動作回数及び動作時間などを計測して記憶させるための稼動データ計測装置を取り付けて、その装置によって計測された稼動データを、定期的に通信回線を介して遠隔監視センターに収集し、その収集した稼動データを基に遠隔監視センターで自動的に解析することによって、保全作業で、実施すべき調整・確認の個所や部品交換の時期などの計画をするようにしたエレベーターの保全システムが知られていた（例えば、特許文献１参照）。  
【特許文献１】特開平５−１６２９３４号公報（段落番号００１１〜段落番号００３３、図１）
【発明の開示】
【発明が解決しようとする課題】
【０００４】
しかしながら、上述特開平５−１６２９３４号公報に記載のエレベーターの保全システムは、エレベーター毎に、エレベーターの運行時間や部品の動作回数及び動作時間などを計測して記憶するための稼動データ計測装置を取り付ける必要があり、かつ、その稼動データ計測装置に記憶した稼動データを、遠隔監視センターに収集するための通信手段なども必要であった。そのために、例えば、同じ仕様のエレベーターが多数台設置された建物において、それらエレベーター１台１台に対して、稼動データ計測装置を取り付けるようにしていたので、その取り付け費用が大幅に掛かると共に、それら稼動データ計測装置から稼動データを収集するための通信費が大幅に掛かるという問題があった。
【０００５】
さらに、エレベーターを設置した建物等の事情により、稼動データ計測装置に記憶した稼動データを収集するための通信手段を、設置できない場合や建物に設置されているエレベーターが旧式で、そのエレベーターに稼動データ計測装置を取り付けることができない場合には、稼動データ計測装置から稼動データを遠隔監視センターに収集できず、エレベーターの稼動状況に従った保全作業指示や部品交換指示を実施することができないという問題があった。
【０００６】
本発明は、上述した問題点を解決するためになされたもので、その目的は、エレベーターの稼動データを計測する稼動データ計測装置を取り付けなくとも、エレベーターの保全作業及び部品交換の時期を把握して保全指令を出すことを可能にするエレベーターの保全システムを提供するにある。
【課題を解決するための手段】
【０００７】
上記目的は、１個以上の稼動データ計測装置付きエレベーターと、１個以上の稼動データ計測装置無しエレベーターとを含み、前記稼動データ計測装置付きエレベーターに設置した稼動データ計測装置によって得られた稼動データに基づき保全指令を出力するようにしたエレベーターの保全システムにおいて、予め設定した判定値を保管する判定値データベースと、前記稼動データ計測装置付きエレベーター及び前記稼動データ計測装置無しエレベーターの仕様を保管する仕様データベースと、この仕様データベースの中から前記稼動データ計測装置無しエレベーターの仕様と類似するところの前記稼動データ計測装置付きエレベーターを選択する類似仕様エレベーター選択手段と、この類似仕様エレベーター選択手段によって選択された前記稼動データ計測装置付きエレベーターに関する稼動データを前記稼動データ記憶装置から取り出す取出手段と、この取出手段によって出力された稼動データと前記判定値データベースに保管されている判定値とを比較して保全指令を出力する保全指令出力手段とを少なくとも具備することにより、達成できる。
【発明の効果】
【０００８】
本発明によれば、エレベーターの稼動データを計測する稼動データ計測装置が取り付けていないエレベーターについても、適切な保全作業指令及び部品交換指令を出すことを可能にするエレベーターの保全システムを提供できた。
【発明を実施するための最良の形態】
【０００９】
以下、本発明に係る昇降機のエレベーターの保全システムの一実施形態を図面に基づいて説明する。図１は、本発明の一実施形態を示すエレベーターの保全システムの概略構成図である。図２は、本発明の一実施形態を示すエレベーターの保全システムにおける要部機能ブロック図である。図３は、本発明の一実施形態を示し、エレベーターの保全システムにおける保全指令を出力する部分の機能ブロック図である。図４は、本発明の一実施形態に係わる仕様データベースに保管されるところのエレベーターの仕様内容例を示す図である。図５は、本発明の一実施形態に係わる判定値データベースに保管される保全作業指令のための判定値を示す図である。図６は、本発明の一実施形態に係わる判定値データベースに保管される交換作業指令のための判定値を示す図である。
【００１０】
図１において、建物１（以下、Ａビル１と称する。）内には、第１のエレベーター２と、この第１のエレベーター２と仕様が同じである第２のエレベーター３が併設されている。第１のエレベーター２及び第２のエレベーター３は、乗りかご４とつり合いおもり５が主ロープ６を介して連結されており、この主ロープ６が巻き掛けられた巻上機７を電動機８で、回転させることにより、昇降路９内を乗りかご４及びつり合いおもり５が釣瓶式に昇降するように構成されている。第１のエレベーター２及び第２のエレベーター３の主ロープ６は、図１に示すように、機械室１０内に設けられたガイドプーリ１１に巻き掛けられている。
【００１１】
第１のエレベーター２は、図１に示すように、制御盤１２により、階床２Ａ、２Ｂ、２Ｃ、２Ｄ、２Ｅの５階床で停止するように制御されている。第２のエレベーター３は、制御盤１３により、階床３Ａ、３Ｂ、３Ｃ、３Ｄ、３Ｅの５階床で停止するように制御されている。Ａビル１に隣接して設けられた建物１４（以下、Ｂビル１４と称する。）内には、図１に示すように、第２のエレベーター３と仕様が同じである第３のエレベーター１５が単独で設置されている。Ｂビル１４の第３のエレベーター１５は、第２のエレベーター３と同じく、昇降路９内に、乗りかご４、つり合いおもり５、及び主ロープ６などを有し、かつ、機械室１０内に、巻上機７、電動機８、ガイドプーリ１１、及び制御盤１３などを有し、その制御盤１３により、階床１５Ａ、１５Ｂ、１５Ｃ、１５Ｄ、１５Ｅの５階床で停止するように制御されている。
【００１２】
第１のエレベーター２の機械室１０内には、図１に示すように、制御盤１２に接続された稼動データ計測装置１６が設置されている。第２のエレベーター３及び第３のエレベーター１５は、図１に示すように、稼動データ計測装置１６が設置されていない。よって、以下、第１のエレベーター２を稼動データ計測装置付きエレベーター２と、第２のエレベーター３を稼動データ計測装置無しエレベーター３と、第３のエレベーター１５を稼動データ計測装置無しエレベーター１５と、それぞれ称することとする。なお、稼動データ計測装置無しエレベーター１５は、建物等の事情により、稼動データ計測装置１６及び通信手段１７を設置できないものとする。
【００１３】
稼動データ計測装置１６は、稼動データ計測装置付きエレベーター２の運行状態に関する各種のデータや各部品の動作状態に関する各種のデータなど（以下、総称して、稼動データという）を計測し、かつ、記憶しておく機能を有している。稼動データ計測装置１６に記憶された稼動データは、通信手段１７により、通信回線１８を介して稼動データ収集センター１９に、常時あるいは定期的に、送信されるようにしてある。
【００１４】
稼動データ収集センター１９は、図２に示すように、稼動データ記憶装置２０と、多数の稼動データ計測装置付きエレベーター２及び多数の稼動データ計測装置無しエレベーター３、１５の仕様を保管する仕様データベース２１と、この仕様データベース２１の中から稼動データ計測装置無しエレベーター３、１５の仕様と類似するところの稼動データ計測装置付きエレベーター３を一つ選択する類似仕様エレベーター選択手段２２とを有している。
【００１５】
さらに、稼動データ収集センター１９は、図３に示すように、予め設定した判定値を保管する判定値データベース２３と、類似仕様エレベーター選択手段２２によって選択された稼動データ計測装置付きエレベーター２に関する稼動データを稼動データ記憶装置２０から取り出す取出手段２４と、この取出手段２４によって出力された稼動データに基づく実測値と判定値データベース２３に保管されている判定値とを比較して保全指令を出力する保全指令出力手段２５とを有している。保全指令出力手段２５は、稼動データに基づく実測値と判定値を比較する比較部２５Ａと、比較部２５Aの比較結果に基づき保全指令を出力する保全指令出力部２５Ｂとを備えている。
【００１６】
仕様データベース２１には、図４に示すように、現場名と共に、エレベーター機種、定格速度、積載荷重、停止階床、仕様用途、稼動データ計測装置１６の取り付けの有無などの仕様が、予め保管させている。図４の例では、Ａビル１に設置されているＡビル１号機及びＡビル２号機のエレベーターと、Ｂビル１４に設置されているエレベーターと、Ｃ百貨店に設置されているエレベーターとについての仕様が予め保管させている。ここで、Ａビル１号機のエレベーターは、図１の稼動データ計測装置付きエレベーター２に、Ａビル２号機のエレベーターは、図１の稼動データ計測装置無しエレベーター３に、Ｂビル１４のエレベーターは、図１の稼動データ計測装置無しエレベーター１５に、それぞれ該当する。
【００１７】
そして、仕様データベース２１に保管されている仕様は、図４に示すように、Ａビル１のＡビル１号機及びＡビル２号機のエレベーターとＢビル１４のエレベーターは、エレベーター機種、定格速度、積載荷重、停止階床、仕様用途が同一であるが、Ａビル１号機のエレベーターは、稼動データ計測装置１６を取り付けているのに対して、Ａビル２号機のエレベーター及びＢビル１４のエレベーターは、稼動データ計測装置１６を取り付けていないという内容になっている。
【００１８】
さらに、仕様データベース２１には、Ｃ百貨店における１号機から６号機のエレベーターの仕様が保管されている。そのＣ百貨店における１号機から４号機のエレベーターの仕様は、図４に示すように、エレベーター機種、定格速度、積載荷重、停止階床、仕様用途が同一であるが、Ｃ百貨店における１号機のエレベーターは、稼動データ計測装置１６を取り付けているのに対して、Ｃ百貨店における２号機から４号機のエレベーターは、稼動データ計測装置１６を取り付けていない。また、Ｃ百貨店における５号機及び６号機のエレベーターの仕様は、図４に示すように、Ｃ百貨店における１号機から４号機のエレベーターとは異にし、しかも、Ｃ百貨店における５号機のエレベーターは、稼動データ計測装置１６を取り付けているのに対して、Ｃ百貨店における６号機のエレベーターは、稼動データ計測装置１６を取り付けていないという内容になっている。
【００１９】
判定値データベース２３には、図５に示すように、保全作業の必要性を判定する際に用いる判定項目及び判定値が、保全作業項目毎に予め保管されている。図５の例では、トラブルデータ読み出し作業の場合は、判定項目をエレベーターの走行時間とし、かつ、判定値を２００時間としてある。また、Ｇリレー清掃作業の場合は、判定項目をＧリレー動作時間とし、かつ、判定値を１０，０００時間としてある。Ｈコンタクタの外観確認作業の場合は、判定項目をＨコンタクタ動作回数とし、かつ、判定値を５０，０００回としてある。
【００２０】
さらに、判定値データベース２３には、図６に示すように、部品交換作業の必要性を判定する際に用いる判定項目及び判定値が、部品名毎に予め保管されている。図６の例では、部品Ｄの場合は、判定項目をＤリレーの動作回数とし、かつ、判定値を１００，０００回としてある。部品Ｅの場合は、判定項目をＥリレーの動作時間とし、かつ、判定値を１０，０００時間としてある。部品Ｆの場合は、判定項目をＦコンタクタの動作回数とし、かつ、判定値を５０，０００回としてある。
【００２１】
上記実施形態エレベーターの保全システムでは、図１の稼動データ計測装置付きエレベーター２の稼動データが、稼動データ計測装置１６により、常時、計測され、かつ、記憶されている。そして、稼動データ計測装置１６に記憶された稼動データが、通信手段１７により、定期的に、通信回線１８を介して、稼動データ収集センター１９に送信される。稼動データ収集センター１９に送信されてきた稼動データ計測装置付きエレベーター２の稼動データは、図２に示す稼動データ記憶装置２０に保管される。
【００２２】
そこで、稼動データ計測装置付きエレベーター２の保全作業の必要性の有無を確認したい場合には、図３に示す判定値データベース２３から該当する判定値を取り出すと共に、稼動データ記憶装置２０から取出手段２４によって該当する稼動データを取り出した後、その稼動データに基づく実測値と判定値とを、保全指令出力手段２５の比較部２５Ａで比較する。そして、比較した結果、稼動データが判定値を超えたとき、保全指令出力手段２５の保全指令出力部２５Ｂにより、稼動データ計測装置付きエレベーター２に対して保全作業指令や部品交換指令などの保全指令が、設備監視センターまたは保守会社の営業所に、通信回線により、送信される。例えば、Ｄリレーの動作回数が１００，０００回を超えると、保全指令出力手段２５から「Ｄリレーを交換しなさい。」との保全指令が、設備監視センターまたは保守会社の営業所に、送信される。したがって、設備監視センターまたは保守会社の営業所では、保全指令出力手段２５から送信されてきた保全指令に基づき保全作業を計画して実行すればよく、経験の浅い保全作業者であっても、間違いなく、かつ、円滑に、その保全作業を行うことができる。
【００２３】
さらに、稼動データ計測装置無しエレベーター３、１５の保全作業の必要性の有無を確認したい場合には、図２に示す類似仕様エレベーター選択手段２２を作動させて、仕様データベース２１の中から稼動データ計測装置無しエレベーター３、１５の仕様と類似するところの稼動データ計測装置付きエレベーター２を選択した後、その稼動データ計測装置付きエレベーター２に関する稼動データを稼動データ記憶装置２０から取出手段２４により取り出すと共に、判定値データベース２３から該当する判定値を取り出す。その後、稼動データ計測装置付きエレベーター２に関する稼動データに基づく実測値と判定値とを、保全指令出力手段２５の比較部２５Ａで比較する。そして、比較した結果、稼動データ計測装置付きエレベーター２に関する稼動データが判定値を超えたとき、保全指令出力手段２５の保全指令出力部２５Ｂにより、稼動データ計測装置無しエレベーター３、１５に対して保全作業指令や部品交換指令などの保全指令が設備監視センターまたは保守会社の営業所に、通信回線により、送信される。例えば、Ｈコンタクタの動作回数が５０，０００回を超えると、保全指令出力手段２５から「Ｈコンタクタの外観を点検しなさい。」との保全指令が、設備監視センターまたは保守会社の営業所に、送信される。したがって、稼動データ計測装置無しエレベーター３、１５についても、保全指令出力手段２５から送信されてきた保全指令に基づき保全作業を計画して実行すればよく、経験の浅い保全作業者であっても、間違いなく、かつ、円滑に、その保全作業を行うことができる。
【００２４】
以上のように、上記実施形態エレベーターの保全システムでは、稼動データ計測装置無しエレベーター３、１５についても、仕様が類似するところの稼動データ計測装置付きエレベーター２の稼動データを利用することにより、保全作業指令や部品交換指令などの保全指令を設備監視センターまたは保守会社の営業所に、通信回線により、送信することができるので、従来のように、同じ仕様のエレベーターが多数台設置された建物などにおいて、それらエレベーター１台１台につき、それぞれ稼動データ計測装置を取り付けなくともよくなり、１台の稼動データ計測装置で済むので、稼動データ計測装置や稼動データを収集するための通信費を大幅に軽減化させることができる。また、建物等の事情により、稼動データ計測装置や通信手段を設置できないエレベーターに対しても、そのエレベーターの稼動状況に従った保全作業指令や部品交換指令を実施することを可能にする。同様に、図４に示すＣ百貨店においても、１号機のエレベーターに取り付けた稼動データ計測装置１６により、Ｃ百貨店における２号機から４号機のエレベーターに対する保全指令を出力し、かつ、Ｃ百貨店における５号機のエレベーターに取り付けた稼動データ計測装置１６により、Ｃ百貨店における６号機のエレベーターに対する保全指令を出力して、それら２号機から４号機のエレベーターあるいは６号機のエレベーターの稼動状況に従った保全作業指令や部品交換指令を実施することを可能にする。
【００２５】
上記実施形態では、稼動データ計測装置付きエレベーター２の保全指令と、稼動データ計測装置無しエレベーター３、１５の保全指令を別々に行っているが、これに限定されない。稼動データ計測装置１６によって得られた稼動データ計測装置付きエレベーター２の稼動データが判定値データベース２３に保管されている該当の判定値を超えたとき、稼動データ計測装置付きエレベーター２に対して保全指令を出すと同時に、類似仕様エレベーター選択部２２により選択された稼動データ計測装置無しエレベーター３、１５に対しても、保全指令を出すようにしてもよい。
【００２６】
上記実施形態では、判定値データベース２３に保管されている判定値を、図５及び図６に示すように、各判定項目に１つ設定しているが、これに限定されない。保全作業指令や部品交換指令を送信しなければならない判定値に近づいたことを知らせるための判定値を設定しておくことにより、保全作業や部品交換を実施しなければならない時期が近づいたことを、設備監視センターまたは保守会社の営業所で知ることができ、保全作業や部品交換をするための準備作業を、事前に正確にしておくことができる。
【図面の簡単な説明】
【００２７】
【図１】本発明の一実施形態を示すエレベーターの保全システムの概略構成図である。
【図２】本発明の一実施形態を示すエレベーターの保全システムにおける要部機能ブロック図である。
【図３】本発明の一実施形態を示し、エレベーターの保全システムにおける保全指令を出力する部分の機能ブロック図である。
【図４】本発明の一実施形態に係わる仕様データベースに保管されるところのエレベーターの仕様内容例を示す図である。
【図５】本発明の一実施形態に係わる判定値データベースに保管される保全作業指示のための判定値を示す図である。
【図６】本発明の一実施形態に係わる判定値データベースに保管される交換作業指示のための判定値を示す図である。
【符号の説明】
【００２８】
１    建物（Ａビル）
２    第１のエレベーター（稼動データ計測装置付きエレベーター）
２Ａ、２Ｂ、２Ｃ、２Ｄ、２Ｅ  階床
３    第２のエレベーター（稼動データ計測装置無しエレベーター）
３Ａ、３Ｂ、３Ｃ、３Ｄ、３Ｅ  階床
４    乗りかご
５    つり合いおもり
６    主ロープ
７    巻上機
８    電動機
９    昇降路
１０  機械室
１１  ガイドプーリ
１２  制御盤
１３  制御盤
１４  建物（Ｂビル）
１５  第３のエレベーター（稼動データ計測装置無しエレベーター）
１５Ａ、１５Ｂ、１５Ｃ、１５Ｄ、１５Ｅ  階床
１６  稼動データ計測装置
１７  通信手段
１８  通信回線
１９  稼動データ収集センター
２０  稼動データ記憶装置
２１  仕様データベース
２２  類似仕様エレベーター選択手段
２３  判定値データベース
２４  取出手段
２５  保全指令出力手段
２５Ａ  比較部
２５Ｂ  保全指令出力部
【図１】
2005255394.tif 000003
【図２】
2005255394.tif 000004
【図３】
2005255394.tif 000005
【図４】
2005255394.tif 000006
【図５】
2005255394.tif 000007
【図６】
2005255394.tif 000008